(57)【特許請求の範囲】
【請求項１】
遊技球が流下する遊技領域が設けられた遊技盤を備え、
前記遊技領域には、第１の遊技盤構成部材と少なくとも一部が前記第１の遊技盤構成部材の下方側に位置する第２の遊技盤構成部材とが配置されると共に、前記第１の遊技盤構成部材の側方には遊技球が流下可能な第１流路部を構成する流路構成部が配置され、
前記第１流路部の下方には遊技球が流下可能な第２流路部が前記第１の遊技盤構成部材と前記第２の遊技盤構成部材の間に設けられ、
前記第１流路部には遊技球が通過する球出口が設けられ、
前記第２流路部には遊技球の入球口が設けられ、
前記球出口と前記入球口との間には前記球出口を通過した遊技球を前記入球口へ誘導する連結流路部が設けられ、
前記第１流路部を流下してきた遊技球が前記球出口から前記連結流路部を経て前記入球口から前記第２流路部内に進入し、前記第２流路部を流下可能とされた遊技機において、
前記第１流路部には複数の遊技球流路が設けられ、
前記球出口は、少なくとも第１球出口と前記第１球出口よりも前記入球口から離れて位置する第２球出口とからなり、前記第２球出口を通過した遊技球が前記第１球出口を通過した遊技球よりも前記入球口から離れた位置から前記連結流路部を前記入球口へ向けて流下するように構成され、
前記連結流路部には、前記第２球出口を通過して前記連結流路部に至った遊技球の流下速度を前記入球口へ向けて加速させる加速手段が設けられている一方、前記第１球出口を通過して前記連結流路部に至った遊技球の流下速度は前記加速手段によって加速されないように構成され、
前記第２流路部内は遊技球が１個分のみ流下する大きさとされ、
前記入球口は、前記第２流路部の遊技球１個分のみ流下する部分に通じる基部側と前記連結流路部側の遊技球入り口側とを備え、前記基部側と前記遊技球入り口側間の上部材と下部材の間隔が前記遊技球入り口側で遊技球の２個分よりも大となるように、前記基部側から前記遊技球入り口側へ向けて拡大した構成からなり、
前記加速手段は、前記入球口へ向けて下方へ傾斜した加速傾斜面からなり、前記加速傾斜面の傾斜角度は前記第２流路部側に向けて傾斜させた前記入球口の下部材の傾斜角度よりも大にされ、
前記入球口は、前記入球口の下部材が前記第２流路部の遊技球１個分のみ流下する部分の下部材の延長上に位置すると共に、前記遊技球入り口側では、前記入球口の上部材の先端が前記入球口の下部材の先端よりも前記基部側に位置して前記入球口の下部材の上方が開放された構成からなり、
前記第１球出口は、前記上方が開放された前記入球口の下部材の上方に位置して、前記第１球出口を通過する遊技球は前記加速傾斜面には流下せずに前記下部材上に流下する構成であり、
前記第２球出口は、前記加速傾斜面の上方に位置して、前記第２球出口を通過する遊技球は前記加速傾斜面上に流下する構成であって、
前記第１球出口を通過する遊技球は、前記入球口の前記上部材と前記下部材の間の間隔が遊技球分の２個分よりも大の部分で、前記第２球出口を通過して前記加速手段で加速されてきた遊技球と衝突した場合に上方へ弾かれることにより、前記第２球出口を通過して前記加速手段で加速されてきた遊技球の上側を流下することを特徴とする遊技機。
【発明の詳細な説明】
【技術分野】
【０００１】
本発明は、遊技領域を流下する遊技球が遊技球の流路で球詰まりを生じにくい遊技機に関する。
【背景技術】
【０００２】
従来、センター役物やサイドランプなどの第１の遊技盤構成部材と第２の遊技盤構成部材を遊技領域に配置し、第１の遊技盤構成部材と第２の遊技盤構成部材の間を遊技球流路部とする遊技機がある。
【先行技術文献】
【特許文献】
【０００３】
【特許文献１】特開２０１０−２０７２６５号公報
【発明の概要】
【発明が解決しようとする課題】
【０００４】
しかしながら、従来の遊技機においては、演出効果や装飾性を高めるなどのために、第１の遊技盤構成部材と第２の遊技盤構成部材の少なくとも一方を大きくしようとすると、限られた遊技領域のスペースでは、第１の遊技盤構成部材と第２の遊技盤構成部材との間の遊技球流路部を極力狭める必要があるが、その場合には、例えば、複数の遊技球が流下した場合に遊技球同士で遊技球の詰まりを生じるおそれがあった。
【０００５】
本発明は、前記の点に鑑みなされたものであって、第１の遊技盤構成部材と第２の遊技盤構成部材の少なくとも一方を大きくしても、複数の遊技球が流下した場合に遊技球の詰まりが生じるおそれを低減できる遊技機の提供を目的とする。
【課題を解決するための手段】
【０００６】
請求項１の発明は、遊技球が流下する遊技領域が設けられた遊技盤を備え、前記遊技領域には、第１の遊技盤構成部材と少なくとも一部が前記第１の遊技盤構成部材の下方側に位置する第２の遊技盤構成部材とが配置されると共に、前記第１の遊技盤構成部材の側方には遊技球が流下可能な第１流路部を構成する流路構成部が配置され、前記第１流路部の下方には遊技球が流下可能な第２流路部が前記第１の遊技盤構成部材と前記第２の遊技盤構成部材の間に設けられ、前記第１流路部には遊技球が通過する球出口が設けられ、前記第２流路部には遊技球の入球口が設けられ、前記球出口と前記入球口との間には前記球出口を通過した遊技球を前記入球口へ誘導する連結流路部が設けられ、前記第１流路部を流下してきた遊技球が前記球出口から前記連結流路部を経て前記入球口から前記第２流路部内に進入し、前記第２流路部を流下可能とされた遊技機において、前記第１流路部には複数の遊技球流路が設けられ、前記球出口は、少なくとも第１球出口と前記第１球出口よりも前記入球口から離れて位置する第２球出口とからなり、前記第２球出口を通過した遊技球が前記第１球出口を通過した遊技球よりも前記入球口から離れた位置から前記連結流路部を前記入球口へ向けて流下するように構成され、前記連結流路部には、前記第２球出口を通過して前記連結流路部に至った遊技球の流下速度を前記入球口へ向けて加速させる加速手段が設けられている一方、前記第１球出口を通過して前記連結流路部に至った遊技球の流下速度は前記加速手段によって加速されないように構成され、前記第２流路部内は遊技球が１個分のみ流下する大きさとされ、前記入球口は、前記第２流路部の遊技球１個分のみ流下する部分に通じる基部側と前記連結流路部側の遊技球入り口側とを備え、前記基部側と前記遊技球入り口側間の上部材と下部材の間隔が前記遊技球入り口側で遊技球の２個分よりも大となるように、前記基部側から前記遊技球入り口側へ向けて拡大した構成からなり、前記加速手段は、前記入球口へ向けて下方へ傾斜した加速傾斜面からなり、前記加速傾斜面の傾斜角度は前記第２流路部側に向けて傾斜させた前記入球口の下部材の傾斜角度よりも大にされ、前記入球口は、前記入球口の下部材が前記第２流路部の遊技球１個分のみ流下する部分の下部材の延長上に位置すると共に、前記遊技球入り口側では、前記入球口の上部材の先端が前記入球口の下部材の先端よりも前記基部側に位置して前記入球口の下部材の上方が開放された構成からなり、前記第１球出口は、前記上方が開放された前記入球口の下部材の上方に位置して、前記第１球出口を通過する遊技球は前記加速傾斜面には流下せずに前記下部材上に流下する構成であり、前記第２球出口は、前記加速傾斜面の上方に位置して、前記第２球出口を通過する遊技球は前記加速傾斜面上に流下する構成であって、前記第１球出口を通過する遊技球は、前記入球口の前記上部材と前記下部材の間の間隔が遊技球分の２個分よりも大の部分で、前記第２球出口を通過して前記加速手段で加速されてきた遊技球と衝突した場合に上方へ弾かれることにより、前記第２球出口を通過して前記加速手段で加速されてきた遊技球の上側を流下することを特徴とする。
【発明の効果】
【０００８】
請求項１の発明によれば、第１の遊技盤構成部材と第２の遊技盤構成部材の少なくとも一方を大きくしても、複数の遊技球が流下した場合に遊技球の詰まりが生じるおそれを低減できる。
【０００９】
請求項１の発明によれば、第２球出口を通過した遊技球の第２流路部への流下速度を第１球出口を通過した遊技球の第２流路部への流下速度よりも高めることができ、入球口で球詰まりを生じるおそれを低減できる。
【図面の簡単な説明】
【００１０】
【図１】本発明の一実施例に係る遊技機の正面図である。
【図２】同遊技機の遊技盤の正面図である。
【図３】同遊技盤のＡ部分の拡大断面図である。
【図４】第１流路部から第２流路部へ流下する際の遊技球の流れを示す図である。
【発明を実施するための形態】
【００１１】
図１に示す遊技機１は、遊技媒体として遊技球を用いるパチンコ遊技機であって、遊技機の外枠Ｗ１に前枠Ｗ２がヒンジ部Ｈ１で開閉可能に取り付けられ、前記前枠Ｗ２の前面側にはガラス枠Ｗ３が前記ヒンジ部Ｈ１で開閉可能に取り付けられている。前記ガラス枠Ｗ３は、前記前枠Ｗ２の下部側の一部を除いて設けられている。前記前枠Ｗ２において前記ガラス枠Ｗ３で覆われている部分に遊技盤２が取り付けられ、前記ガラス枠Ｗ３を通して遊技者が遊技盤２の表面を視認可能になっている。
【００１２】
前記遊技盤２の表面の縁には、外レール３及び内レール４で構成される領域区画部材が略円形に配置され、前記外レール３及び内レール４からなる領域区画部材によって区画形成された遊技領域６が前記遊技盤２の表面に設けられている。図２に示すように、前記外レール３は前記遊技領域６の下部から左側部と上部を通って右側部まで円弧状に設けられている。一方、前記内レール４は、遊技領域の右側部から下部を通って左側部まで設けられ、前記遊技領域６の下部から左側部までの部分が前記外レール３より内側に位置し、また、前記遊技領域６の右側部の上端で前記外レール３の右側部下端と連結されている。前記遊技領域６の下部から左側部までの外レール３と内レール４の間が、発射された遊技球を遊技領域６内に誘導する発射球誘導路５を構成し、前記遊技領域６の左側部における内レール４の先端位置が発射球誘導路５の出口５ａとなっている。前記発射球誘導路５の出口５ａには、バネ片５ｂが取り付けられている。前記出口５ａのバネ片５ｂは、発射球誘導路５から遊技領域６へ遊技球を進入可能にする一方、遊技領域６に至った遊技球が遊技領域６内の部材等で跳ね返されて発射球誘導路５内に再び戻るのを防ぐものであり、通常時は発射球誘導路５の出口５ａを塞ぎ、発射された遊技球により発射球誘導路５の内側から押された際に遊技領域６内側へ屈曲して発射球誘導路５の出口５ａを開くようになっている。なお、本実施例における前記遊技領域６は略円形とされているが、円形に限るものではなく、例えば少なくとも一部が略直線状とされたものでもよい。
【００１３】
また、遊技機１の前面側には、上部側に装飾ランプ３５、効果音等を発するスピーカ３８が向けられ、下部側には払い出された遊技球を受けるための上側球受け皿３６、該上側球受け皿３６の飽和時に遊技球を受けるための下側球受け皿３７、遊技者の発射操作に応じて遊技球を前記発射球誘導路５から遊技領域６内に向けて弾発発射する球発射装置６４が設けられている。以下主要な部分について説明する。
【００１４】
前記遊技領域６には、中心線上にその上部から下部に向かって順に表示装置９、第１始動入賞口１０、第２始動入賞口１１、第１大入賞口１５、アウト口１９が設けられている。また、前記表示装置９の左右には左ゲート２１と右ゲート２３が設けられ、さらに前記左ゲート２１の下方には前記遊技領域６へ打ち込まれた遊技球の接触により回転する風車Ｋが設けられ、一方、前記右ゲート２３の下方には、第２大入賞口１７が設けられている。前記第１始動入賞口１０及び第２始動入賞口１１の左側には、前記風車Ｋの下方に左第１入賞口２５、左第２入賞口２７、左第３入賞口２９が上から順に設けられ、一方、前記第２始動入賞口１１の右側には右入賞口３１が設けられている。前記第１始動入賞口１０、第２始動入賞口１１、第１大入賞口１５、第２大入賞口１７、左第１入賞口２５、左第２入賞口２７、左第３入賞口２９、右入賞口３１は、入賞装置であり、遊技領域６に発射された遊技球が入賞（入球）すると、所定数の遊技球が賞品球として払出装置（図示せず）により払い出される。なお、遊技領域６に発射された遊技球が何れの入賞装置にも入賞しなかった場合には、前記アウト口１９から遊技機の背面側へ排出される。
【００１５】
また、前記表示装置９の外周を囲むようにセンター役物５１が前記遊技盤２の表面に遊技者側へ突出して設けられ、前記センター役物５１の右下コーナー部には前記第２大入賞口１７が位置する。前記遊技領域６の右側における前記センター役物５１の下方側には、サイドランプ８１が前記遊技盤２の表面に遊技者側へ突出して設けられている。前記遊技領域６には前記遊技領域６に打ち込まれた遊技球を誘導する誘導釘Ｊ（図１については誘導釘Ｊを省略）が立設されている。以下、遊技領域６内の主要な部分について詳述する。
【００１６】
前記表示装置９は、遊技が大当たりか否かの判定結果を特別図柄の組合せで表示する特別図柄表示部４１と、左下に組み込まれ、遊技が小当たりか否かの判定結果を表示する普通図柄表示部４２とよりなり、本実施例では前記センター役物７で周囲が囲まれた状態で前記遊技領域６の中央に配置されている。前記特別図柄表示部４１は、液晶，ドットマトリックス若しくはＬＥＤ表示装置等の表示装置からなる。本実施例では、液晶表示器（ＴＦＴ−ＬＣＤモジュール）で構成される。
【００１７】
前記特別図柄表示部４１は、左側位置に左特別図柄、中央位置に中特別図柄、右側位置に右特別図柄がそれぞれ変動表示及び停止表示可能とされ、停止表示された特別図柄の組み合わせで大当たりの当否判定結果が表示され、遊技者に報知される。本実施例における左特別図柄、中特別図柄、右特別図柄は、それぞれ『０，１，２，３，４，５，６，７，８，９，１０，１１』の１２種類の図柄で構成されている。大当たりの場合、前記左特別図柄、中特別図柄及び右特別図柄が、いわゆるぞろ目、すなわち数字が同一の特別図柄からなる大当たり図柄の組合せ（例えば‘０，０，０’、‘１，１，１’等）で停止表示されることにより、大当たりであることを示す。
【００１８】
前記普通図柄表示部４２は、普通図柄当たりの判定図柄として記号或いは絵（キャラクタ）等からなる普通図柄が変動表示及び停止表示可能とされている。本実施例における普通図柄は、『０，１，２，３，４，５，６，７，８，９』の１０通りの図柄とされており、普通図図柄当たりの場合には、前記普通図柄表示部４２に奇数の普通図柄で停止表示するようになっている。前記普通図柄表示部４２は、液晶，ドットマトリックス若しくはＬＥＤ表示装置等からなる。
【００１９】
前記第１始動入賞口１０は、前記表示装置９の真下の位置に、上方へ向けて開口して設けられ、上方から流下してくる遊技球が入球（入賞）可能となっている。
前記第２始動入賞口１１は、前記第１始動入賞口１０の真下に設けられ、２つの可動片１１ａ、１１ｂを備えると共に、前記２つの可動片１１ａ、１１ｂの先端間が入球可能領域とされ、前記可動片１１ａ，１１ｂが背面の始動入賞口用ソレノイドにより略垂直にされて入球（入賞）のし難い入球可能領域狭小状態と、略Ｖ字形（逆ハの字形）に拡開して入球（入賞）のし易い入球可能領域拡大状態間を変化可能に制御されている。前記第２始動入賞口１１の入球可能領域拡大は、前記普通図柄表示部４２の普通図柄が変動した後に予め決められた特定の普通図柄（本実施例では奇数の図柄）で停止表示されて普通図柄当たりが成立した時に行われる。
【００２０】
前記遊技盤２の裏側には、前記第１始動入賞口１０に入賞（入球）した遊技球を検出する第１始動入賞口検出スイッチ（第１始動入賞口センサ）と、前記第２始動入賞口１１に入賞（入球）した遊技球を検出する第２始動入賞口検出スイッチ（第２始動入賞口センサ）が設けられている。本実施例では、前記第１始動入賞口検出スイッチにより入賞球が検出されると、前記第１大入賞口１５に対する遊技の大当たりを判定するための大当たり判定用乱数が取得され、前記特別図柄柄表示部４１で特別図柄の変動が開始される。そして、前記取得された大当たり判定用乱数が大当たりであった場合に、前記特別図柄表示部４１で特別図柄が大当たり図柄の組合せで停止表示されて大当たりが表示されると共に、大当たりまでの通常遊技に比べ遊技者にとって有利な特別遊技が実行される。一方、前記第２始動入賞口検出スイッチにより入賞球が検出されると、前記第２大入賞口１７に対する遊技の大当たりを判定するための大当たり判定用乱数が取得され、前記特別図柄柄表示部４１で特別図柄の変動が開始される。そして、前記取得された大当たり判定用乱数が大当たりであった場合に、前記特別図柄表示部４１で特別図柄が大当たり図柄の組合せで停止表示されて大当たりが表示されると共に、大当たりまでの通常遊技に比べ遊技者にとって有利な特別遊技が実行される。
【００２１】
前記左ゲート２１と右ゲート２３は、上方から流下してきた遊技球が通過可能とされ、遊技球が前記両ゲート２１，２３に入球したことを検出する普通図柄変動開始スイッチを備えている。前記普通図柄変動開始スイッチで遊技球が検出されると、普通図柄当たりりを判定するための普通図柄当たり判定用乱数が取得され、前記普通図柄表示部４２で普通図柄の変動が開始する。取得された普通図柄判定用乱数が普通図柄当たりの場合には、前記普通図柄表示部４２で普通図柄が特定の図柄（本実施例では奇数の図柄）で停止表示されることによって普通図柄当たりが表示され、前記第２始動入賞口１１の可動片１１ａ，１１ｂが拡開状態になる。
【００２２】
また、前記左第１入賞口２５、左第２入賞口２７、左第３入賞口２９、右入賞口３１には、それぞれの入球（入賞）を検出する入賞口用検出スイッチが、それぞれ対応する遊技盤背面に設けられている。
【００２３】
前記第１大入賞口１５は、遊技盤背面の第１大入賞口開放用ソレノイド（図示せず）によって開閉する開閉板１６を備えている。前記第１大入賞口１５は、通常は開閉板１６が閉じた状態とされ、特別遊技（大当たり遊技）の際に開いて上方から流下してくる遊技球を開閉板１６で受け止めて第１大入賞口１５へ入賞可能とする。前記第１大入賞口１５内には、前記第１大入賞口１５に入賞した入賞球を検出する第１大入賞口入賞球数カウントスイッチ（図示せず）が設けられている。
【００２４】
前記第２大入賞口１７は、遊技盤背面の第２大入賞口開放用ソレノイド（図示せず）によって開閉する可動開閉片１８を備えている。前記第２大入賞口１７は、通常は可動開閉片１８によって閉じた状態とされ、特別遊技（大当たり遊技）の際に可動開閉片１８が開き、上方から流下してくる遊技球を前記可動開閉片１８で受け止めて第２大入賞口１７へ入賞可能とする。前記第２大入賞口１７内には、前記第２大入賞口１７に入賞した入賞球を検出する第２大入賞口入賞球数カウントスイッチ（図示せず）が設けられている。
【００２５】
前記第１始動入賞口１０に入賞して第１大入賞口１５に対する大当たりとなった場合に行われる特別遊技では、前記第１大入賞口１５の開閉板１６が開いて前記遊技領域６の表面を流下してくる遊技球を開閉板１６で受け止め、前記大入賞口１５へ入賞可能にする。前記第１大入賞口１５への入賞があると、図示しない賞球払出装置により所定数の遊技球が賞品球として払い出される。前記開閉板１６は、所定時間（例えば２９．５秒）経過後、或いは前記入賞球数カウントスイッチで検出された入賞球数が所定個数（例えば１０個）となった時点で閉じるようにされ、所定回数（例えば１５回）前記開閉板１６の開放を繰り返すようになっている。
【００２６】
一方、前記第２始動入賞口１１に入賞して第２大入賞口１７に対する大当たりとなった場合に行われる特別遊技では、前記第２大入賞口１７の可動開閉片１８が開いて前記遊技領域６の表面を流下してくる遊技球を可動開閉片１８で受け止め、前記第２大入賞口１７へ入賞可能にする。前記第２大入賞口１７への入賞があると、図示しない賞球払出装置により所定数の遊技球が賞品球として払い出される。前記可動開閉片１８は、所定時間（例えば２９．５秒）経過後、或いは前記入賞球数カウントスイッチで検出された入賞球数が所定個数（例えば１０個）となった時点で閉じるようにされ、所定回数（例えば１５回）前記可動開閉片１８の開放を繰り返すようになっている。
【００２７】
前記センター役物５１は、前記表示装置９の周囲を囲む突起物状の装飾体からなり、本発明における第１の構成部材に相当する。前記センター役物５１の右側部５１ａと、前記センター役物５１の右側方に位置する前記内レール４の右側部４ａとの間は、前記遊技領域６に発射された遊技球が流下可能な第１流路部５３となっている。前記第１流路部５３には、前記第１流路部５３に立設された複数の釘Ｊによって複数の遊技球流路５４が形成されている。前記内レール４の右側部４ａは、本発明における流路構成部に相当する。
【００２８】
前記サイドランプ８１は、ケース内にＬＥＤ等の発光体が収納されたランプ装置からなり、遊技の演出性増大等のために遊技中等に点灯、点滅等する。前記サイドランプ８１は、前記遊技領域６の右側において、少なくとも一部が前記センター役物５１の下方側に位置するようにして、前記センター役物５１の下方側から遊技領域６の右縁の内レール４まで設けられている。前記第１流路部５３の下方側には、遊技球が流下可能な第２流路部６１が前記サイドランプ８１と前記センター役物５１との間に設けられている。前記サイドランプ８１は、本発明における第２の遊技盤構成部材に相当する。
【００２９】
図２のＡ部を拡大した図３を用いて、前記第１流路部５３から第２流路部６１に至る遊技球の流路及びその周辺の構成について詳述する。
前記第１流路部５３の下部には、遊技球Ｐ１、Ｐ２が通過する球出口として第１球出口５６と第２球出口５７、５８が誘導釘Ｊ１、Ｊ２、Ｊ３によって形成されている。前記第２球出口５７、５８は、前記第１球出口５６よりも第２流路部６１の入球口６２から離れて（遠く）位置する。
【００３０】
前記サイドランプ８１の上面８２は、前記センター役物５１の下部側及び前記第１流路部５３の前記第１球出口５６及び第２球出口５７、５８の下方に位置し、前記センター役物５１の下面５２との間が前記第２流路部６１を構成し、一方、前記第１球出口５６と第２球出口５７、５８との間が連結流路部７１を構成している。
【００３１】
前記第２流路部６１は、前記連結流路部７１と通じる上流側第２流路部６１ａと、前記第２始動入賞口１１の側へ向かう下流側第２流路部６１ｂで構成されている。前記上流側第２流路部６１ａは、前記連結流路部７１側から前記下流側第２流路部６１ｂへ向けて緩やかに下方へ傾斜し、一方、前記下流側第２流路部６１ｂは、前記上流側第２流路部６１ａとの境界から下流側第２流路部６１ｂの下端へ向かって下向きに形成され、前記連結流路部７１から流下してきた遊技球が前記上流側第２流路部６１ａから下流側第２流路部６１ｂを経て前記第２始動入賞口１１の側へ流下可能となっている。前記第２流路部６１は、前記上流側第２流路部６１ａにおける前記連結流路部７１側の端部に遊技球の入球口６２が形成されている。また、前記第２流路部６１は、前記入球口６２部分を除いて前記上流側第２流路部６１ａと前記下流側第２流路部６１ｂの内部が、遊技球１個分のみ流下する大きさとされている。本実施例では、前記入球口６２部分を除いて前記上流側第２流路部６１ａの上部材（すなわち前記センター役物５１の下面５２）と下部材（すなわち前記サイドランプ８１の上面８２の一部）間の間隔ｄ１は、遊技球１個分通過可能であるが、遊技球２個分は通過できない間隔、すなわち遊技球１個分以上２個分未満の大きさとなっている。
【００３２】
前記第２流路部６１の入球口６２は、前記第２流路部６１の遊技球１個分のみ流下する部分（本実施例では前記上流側第２流路部６１ａ）と通じる基部側６３と、前記連結流路部７１側の遊技球入り口側６４とを有し、前記基部側６３と遊技球入り口側６４間の上部材６５と下部材６６の間隔ｄ２が前記遊技球入り口側６４で遊技球の２個分よりも大となるように、前記基部側６３から前記遊技球入り口側６４へ向けて拡大し、前記入球口６２内の上部に遊技球の逃げ空間部６８が形成されている。本実施例では、前記入球口６２の下部材６６（すなわち前記サイドランプ８１の上面８２の一部）は、前記第２流路部の遊技球１個分のみ流下する部分（本実施例では前記上流側第２流路部６１ａ）の下部材６７の延長上に位置する。また、前記入球口６２の遊技球入り口側６４では、前記入球口６２の上部材６５（すなわち前記センター役物５１の下面５２の一部）の先端６５ａが、前記入球口６２の下部材６６の先端６６ａよりも前記基部側６３に位置して、前記入球口６２の下部材６６の上方が開放されている。前記第１球出口５６は、前記上方が開放された前記入球口６２の下部材６６の上方に位置する。
【００３３】
前記連結流路部７１の下部材７２（すなわち前記サイドランプ８１の上面８２の一部）には、前記入球口６２へ向けて下方へ傾斜した加速傾斜面７３が設けられている。前記加速傾斜面７３は、本発明における遊技球の流下速度を流下させる加速手段に相当する。前記加速傾斜面７３は、前記第２流路部６１の入球口６２における下部材６６の傾斜角度よりも大に設けられている。前記第２球出口５７、５８は、前記加速傾斜面７３の上方に位置し、前記入球口６２に対して前記第１球出口５６よりも離れた位置にある。これによって、第２球出口５７、５８を通過した遊技球は前記加速傾斜面７３を流下する距離が長くなり、加速度を一層高めることができる。なお、前記第１球出口５６は、前記第１球出口５６を通過した遊技球が前記加速傾斜面７３で受け止められないように配置されると共に、前記第１球出口５６を通過した遊技球の流下（落下）経路と前記第２球出口５７、５８を通過して前記加速傾斜面７３で加速された遊技球の流下経路は、前記入球口６２の下部材６６上で交差する（ぶつかる）ように構成されている。また、前記加速傾斜面７３は、前記第２球出口５７、５８を形成する釘Ｊ２及びＪ３と平行に設けられ、かつ前記釘Ｊ２及びＪ３との間隔が遊技球一個分のみ流下可能とされ、前記第２球出口５７、５８を遊技球が２個通過した場合に、釘Ｊ２及びＪ３と加速傾斜面７３間に２個の遊技球が挟まることによる球詰まりを生じにくいように構成されている。
【００３４】
前記遊技領域６へ打ち込まれて前記第１流路部５３に至った遊技球の流れについて説明する。
前記第１流路部５３に至った遊技球は、前記第１流路部５３に形成されている複数の遊技球流路５４を流下して前記第１球出口５６あるいは第２球出口５７、５８を通過する。図４に示すように、前記第１球出口５６を通過して流下（落下）する遊技球Ｐ１は、前記加速傾斜面７３に乗ることなく前記入球口６２側に至り、一方前記第２球出口５７、５８を通過した遊技球Ｐ２は、前記入球口６２から離れた位置の前記連結流路部７１の加速傾斜面７３に至り、前記加速傾斜面７３により加速されて前記入球口６２へ向けて流下する。
【００３５】
前記第１球出口５６を通過した遊技球Ｐ１と前記第２球出口５７、５８を通過した遊技球Ｐ２が前記入球口６２で衝突する場合には、前記第１球出口５６を通過して加速傾斜面７３で加速されることなく前記入球口６２の下部材６６の上方から流下（落下）してきた遊技球Ｐ１に、前記加速傾斜面７３で加速されて流下速度が大になっている遊技球Ｐ２が勢いよく当たることになるため、前記遊技球Ｐ１又は遊技球Ｐ２は弾かれて、遊技球Ｐ１と遊技球Ｐ２の何れか一方、図示の例では第１球出口５６を通過した遊技球Ｐ１が弾かれて前記入球口６２内の上部の前記逃げ空間部６８へ移動し、前記遊技球Ｐ１が逃げ空間部６８へ移動して空いた前記入球口６２における上部材６５と下部材６６の間の下側を前記遊技球Ｐ２が流下して前記第２流路部６１内に進入する。また、前記入球口６２内上部の逃げ空間部６８へ移動した前記遊技球Ｐ１は、前記入球口６２における上部材６５と下部材６６の間の上側を流下して前記遊技球Ｐ２の後から前記第２流路部６１内に進入する。そのため、前記第１球出口５６を通過した遊技球と第２球出口５７、５８を通過した遊技球が前記入球口６２で衝突することがあっても、遊技球の球詰まりを生じるおそれを低減することができる。符号Ｒ１は遊技球Ｐ１の流路、符号Ｒ２は遊技球Ｐ２の流路を示す。
【００３６】
また、前記入球口６２における遊技球の衝突時に、前記第１球出口５６を通過した遊技球が、前記第２球出口５７、５８を通過して加速傾斜面７３で加速された遊技球によって第２流路部６１の内方へ弾かれる場合には、前記第１球出口５６を通過した遊技球が、前記第２球出口５７、５８を通過した遊技球よりも先に第２流路部内に進入することになるため、この場合にも球詰まりを生じるおそれを低減できる。
なお、前記第１球出口５６と第２球出口５７、５８の何れか１つの球出口のみを遊技球が通過する場合には、遊技球は前記入球口６２で他の遊技球と衝突することなく前記第２流路部６１に進入するため、球詰まりを生じるおそれがない。
【００３７】
このように、本実施例では、前記センター役物（第１の遊技盤構成部材）５１と前記サイドランプ（第２の遊技盤構成部材）８１との間の前記第２流路部６１を、遊技球の一個分のみ流下可能なものにしても、複数の遊技球が流下した際に球詰まりを生じるおそれを低減できるため、前記センター役物（第１の遊技盤構成部材）５１と前記サイドランプ（第２の遊技盤構成部材）８１の少なくとも一方を大きくすることができる。
【００３８】
なお、本発明は前記実施例に限定されるものではなく、本発明の趣旨を逸脱しない範囲で変更されるものである。例えば、前記第１の遊技盤構成部材と第２遊技盤構成部材は、センター役物とサイドランプに限られず、遊技盤を装飾するための他の装飾体や図柄表示体あるいは単なる部材などでもよい。また、流路を構成する部材は、遊技領域に立設された釘に限られず、樹脂製などの突起物で構成してもよい。また、前記上部材及び下部材は、平板突起物で構成してもよいし、釘などで構成してもよい。さらに、前記流路構成部は、レールに限られず、遊技盤を装飾するための装飾体や図柄表示体あるいは単なる部材などでもよい。また、前記第２球出口は２箇所設けたが、１箇所あるいは３箇所以上でもよい。また、本実施例では、遊技領域の右側に第１流路部と第２流路部を設けたが、遊技領域の左側あるいは両側等、遊技領域内の他の位置であってもよい。
【符号の説明】
【００３９】
１  遊技機
２  遊技盤
９  表示装置
５１  センター役物
５３  第１流路部
６１  第２流路部
７１  連結流路部
７３  加速傾斜面
８１  サイドランプ
【図１】
0005189175.tif 000002
【図２】
0005189175.tif 000003
【図３】
0005189175.tif 000004
【図４】
0005189175.tif 000005